(57)【要約】  本発明は、工具スライド、特に、少なくとも１つのスライドベッド２と一つのスライド部３とを備える、ウェッジ駆動装置に関し、前記スライド部３は、角柱ガイドによって前記スライドベッド２にスライド可能に支持され、溝５と当該溝内に突出するスタッド１５とが設けられ、前記スタッド１５と前記溝５との間には、少なくとも１つのスライド部材８が設けられ、前記スライド部３から取り外し可能なドライバ４が設けられ、接触状態における前記スライド部３と前記ドライバとの間には、同様に、前記スライド体３の傾斜部材１７と前記ドライバ４の対応の傾斜表面１８とから成る角柱ガイドが設けられ、前記スライドベッド２と前記スライド体３との間には、前記スライドベッド２のスライド部材８と前記スライド体３の対応のスライド部材１４とが角柱ガイドにおいてはｘ軸１３に対して傾斜し、若しくは、フラットガイドにおいてはそれに対して垂直であるように、角柱ガイド又はフラットガイドが構成され、前記溝５に向けて、前記スライド部材８は、それによって前記溝壁５の対応の表面１９上に載置するウェッジ状傾斜表面２２を有し、前記対応の溝壁１９は、前記スライド部材８の長手方向２３での軸心方向移動によって、前記スタッド１５と前記スライド部材８との間の空隙が減少又は増大するように、対応のウェッジ状傾斜表面を有する。
2017507036.tif 000002
【特許請求の範囲】
【請求項１】
工具スライド、特に、少なくとも１つのスライドベッド（２）と一つのスライド部（３）とを備える、ウェッジ駆動装置であって、
前記スライド部（３）は、角柱ガイドによって前記スライドベッド（２）にスライド可能に支持され、溝（５）と当該溝内に突出するスタッド（１５）とが設けられ、
前記スタッド（１５）と前記溝（５）との間には、少なくとも１つのスライド部材（８）が設けられ、
前記スライド部（３）から取り外し可能なドライバ（４）が設けられ、接触状態における前記スライド部（３）と前記ドライバとの間には、同様に、前記スライド体（３）の傾斜部材（１７）と前記ドライバ（４）の対応の傾斜表面（１８）とから成る角柱ガイドが設けられ、
前記スライドベッド（２）と前記スライド体（３）との間には、前記スライドベッド（２）のスライド部材（８）と前記スライド体（３）の対応のスライド部材（１４）とが角柱ガイドにおいては傾斜し、若しくは、フラットガイドにおいては垂直であるように、角柱ガイド又はフラットガイドが構成されているものにおいて、
前記溝（５）に向けて、前記スライド部材（８）は、それによって前記溝壁（５）の対応の表面（１９）上に載置するウェッジ状傾斜表面（２２）を有し、前記対応の溝壁（１９）は、前記スライド部材（８）の長手方向（２３）での軸心方向移動によって、前記スタッド（１５）と前記スライド部材（８）との間の空隙が減少又は増大するように、対応のウェッジ状傾斜表面を有することを特徴とする工具スライド。
【請求項２】
請求項１の工具スライドであって、
前記スライド部材は、溝中心に向けられて、それら自身の間の中間空隙を規制する表面（１１）を有するＬ形状スライドストリップ（８）又はスライドプレート（８）であって、これらは前記スライド体（３）に向けて、スライド表面（１２）を有し、
前記ガイド部（１５）又はガイドスタッド（１５）は、前記縦軸に対して対称に前記溝（５）内へと上方に延出し、そして、
前記ガイドスタッド（１５）は、それによって、前記Ｌ形状スライドストリップ（８）の表面（１１）に対して載置される長手表面（１６）を有する。
【請求項３】
前記請求項のいずれかの工具スライドであって、
前記ガイド体（１５）は、長手レール状又はスタッド状コンポーネントとして構成され、
前記スタッド（１５）は、前記溝（５）内に突出する領域内へと角柱又は蟻継状に広がるように構成され、
前記溝（５）に支持されるガイド角柱又は蟻継ガイドが設けられ、そして、
前記スタッド（１５）は、スライドストリップ（８）の対応の表面（１１）に対向する角柱状表面（１６）で前記溝（５）に支持されている。
【請求項４】
前記請求項のいずれかの工具スライドであって、前記スライドベッド（２）の壁（１９、４１）と、前記スライド部材（８）の壁との間に挿入されて前記スライド部材（８）の所定の位置を維持するアダプタ（４０、６０）が設けられている。
【請求項５】
前記請求項のいずれかの工具スライドであって、前記アダプタは、ネジ（４５、６６）によって、前記スライドベッド（２）又はスライド部材（８）上に配置されている。
【請求項６】
前記請求項のいずれかの工具スライドであって、前記アダプタは、前記スライドベッドの傾斜表面（１９）又は前記スライド部材（８）の傾斜表面（２２）に対応する少なくとも１つのウェッジ状傾斜表面（６４、６５）を有し、前記スライド部材（８）を移動させるウェッジドライブとして機能する。
【請求項７】
前記請求項のいずれかの工具スライドであって、前記アダプタ（２）は、前記スライドベッド（２）の傾斜表面（１９）と、前記スライド部材（８）の傾斜表面（２２）とに対応するウェッジ状傾斜表面（６４、６５）を有し、前記スライド部材（８）を移動させるウェッジドライブとして機能する。
【請求項８】
前記請求項のいずれかの工具スライドであって、前記ガイド遊びを調節するために、前記アダプタ（４０）は、前記スライドストリップ（８）の軸心方向前方又は後方に位置する前記スライドベッド（２）のエッジ又は表面（４１）の間に位置している。
【請求項９】
前記請求項のいずれかの工具スライドであって、前記アダプタ（４０）は、その位置において固定されるべく、特に、そのために設けられるステップ（４４）の近傍において、前記スライドベッド（２）に向けられた前記エッジ又は表面（４１）上に覆いかぶさる固定部材（４３）を有し、前記アダプタ（４０）を貫通して前記スライドベッド（２）の材料内へとねじ込まれるネジ（４５）によってそこに位置固定され、それによって、前記エッジ（４１）と前記エッジ（４２）との間の軸心方向距離を固定する。
【請求項１０】
前記請求項のいずれかの工具スライドであって、
前記アダプタ（４０）は、前記両エッジ（４１、４２）間に位置し、
前記両エッジ（４１、４２）間の前記アダプタ（４０）は、移動可能に構成され、前記覆いかぶさり領域（４３）と前記ステップ（４４）とは互いに離間して、それにより、前記アダプタ（４０）が、前記ネジ（５５）のネジ込みによって前記両エッジ（４１、４２）間の領域に押し込み可能であり、前記スライドストリップに向けられた前記アダプタ（４０）の前記エッジ又は表面（４６）は、前記アダプタ（４０）が幅広がりとして構成されるように傾斜表面を備える、および／又は、前記スライドストリップ（８）の前記エッジ（４２）は、前記アダプタ（４０）が前記両エッジ（４１、４２）間の領域内へと押し込まれた時に、これによって前記スライドストリップ（８）が移動し、その結果、前記ガイド遊びが減少するように、対応の傾斜表面を備えている。
【請求項１１】
前記請求項のいずれかの工具スライドであって、前記ウェッジ形状アダプタ（４０）又はウェッジ（６０）を、前記スライドベッド（２）と前記スライドストリップ（８）との表面（１９、２２）間のウェッジ形状空隙から出し入れするために、前記ウェッジ（６０）は、エルボウ（６３）を有し、前記エルボウは、当該エルボウの自由端が前記スライドベッド（２）又は前記スライドストリップ（８）の材料の近傍に位置するように前記ウェッジ（６０）上に配置され、かつ、前記エルボウ（６３）に回転可能に支持される、貫通するネジ（６６）を有し、そのネジ頭部および／又は対応の装置によって、前記ネジ（６６）は、当該ネジ（６６）を前記スライドベッド（２）又はスライドストリップ（８）にねじ込むことによって、前記ウェッジ（６０）が前記空隙から出入りするように前記ウェッジ（６０）に対して作用する。
【発明の詳細な説明】
【技術分野】
【０００１】
本発明は、工具スライドに関する。
【背景技術】
【０００２】
ウェッジ駆動装置とも称される工具スライドが知られている。
【０００３】
ウェッジ駆動装置は、金属加工、たとえば、成形プレス処理において工具に使用される。これらのウェッジ駆動装置は、通常、穴あけ処理またはその他の変形処理を行うことを可能にする装置又は工具に接続される。従来のウェッジ駆動装置は、スライド部材とスライドガイド部材とを備える上方ガイド部と、ドライバ部材を備える下方ガイド部、又は、その逆の構成、を有する。前記スライドガイド部材側では、前記ウェッジ駆動装置は、ほぼ垂直なプレス力を加える駆動装置によって移動される。ドライバ部材側では、前記工具又はプレスのウェッジ駆動装置が、加工対象物が、直接、又は、対応の支持装置を介して載置されるベースプレートに固定される。
【０００４】
西独国特許出願公告第２６４０３１８号明細書（特許文献１）は、垂直プレス力を成形処理のためにそれに対して斜の方向に作用する力に変換するためのウェッジ駆動装置を開示している。このウェッジ駆動装置は、対応の加工プレスの垂直力がそれに対して作用する駆動ウェッジと前記力を水平方向に伝達するスライドウェッジとから構成されている。前記駆動ウェッジとスライドウェッジとは、円形の協働領域に渡って、或いは、別実施例では、ローラ上、で移動する。
【０００５】
西独国特許出願公開第ＤＥ２４３９２１７号明細書（特許文献２）は、接触面が屋根型又は樋型に構成され、その屋根状又は樋状部分がウェッジの圧力吸収幅全体に渡って延出している角柱状ウェッジガイドを備えるウェッジプレスを開示している。
【０００６】
西独国特許出願公告第２３２９３２４号明細書（特許文献３）は、角柱状ウェッジガイドを備えるウェッジの不要な移動を防止するための装置を有するウェッジプレスを開示している。
【０００７】
通常、自動車ボディー産業に使用される吊り下げ式ウェッジ駆動装置は、ドライバと、スライドと、スライド凹部とから構成される。前記スライド凹部の上側には、垂直力が作用し、これがスライド凹部を下方にプレスする。前記ドライバは、スライド凹部に対して圧力がかけられた時に、このスライド凹部に固定されている前記スライドが垂直な加工方向以外の任意の所望方向に押されるように、工具に強固に固定されている。
【０００８】
吊り下げ式ウェッジ駆動装置はしばしば使用される。この構成において、前記スライドは、前記スライド凹部内で移動可能となるようにそのガイドに吊り下げられている。前記ドライバは、下部においてはリジッドに支持され、前記スライドの加工方向を規定する。前記プレスの下方ストロークによって、圧縮解除されたスライドは駆動装置上に静止し、スライド凹部の連続移動によってドライバ表面を介して加工方向にスライドされる。
【０００９】
この従来技術から知られているウェッジ駆動装置には欠点があり、頻繁に使用されるスライドの寿命が短く、更に、その構造上、激しく摩耗する。従って、それらが摩耗して垂直プレス力を精度良く変換することができなくなって、その結果、金属加工において許容できない誤差が生じる摩耗現象を受けるのでたとえ短い使用期間後であっても頻繁に交換されなければならない。
【００１０】
独国特許第１９７５３５４９号明細書（特許文献４）は、連続的な工業的製造処理によって製造可能で、長い寿命を持つとされるウェッジ駆動装置を開示している。スライドをスライド凹部でガイドするために、傾斜ストリップが設けられ、これは真鍮製であって、前記傾斜ストリップに取り付けられたグラファイト製のスライド部材を備えている。一般に、垂直プレス力を変換するためのこのウェッジ駆動装置は、ドライバと、スライドと、スライド凹部とを備え、前記ドライバは、角柱状ガイドを有し、当該ドライバ上の前記スライドの移動経路は、前記スライド凹部上の前記スライドの移動経路よりも短く、ここで、互いに対する移動経路の比率は少なくとも１〜１．５であり、これら移動経路間の角度αは、５０度〜７０度である。この種のスライドにおいて、前記ドライバ部材は、角柱状表面を有し、この角柱状表面の側面は、外側に向けて下降傾斜して構成されている。更に、このウェッジ駆動装置は、その両側に、それらのそれぞれが前記少なくとも１つのライト部材とドライバ部材とのそれぞれの溝に設けられた強制取出し（ｆｏｒｃｅｄ  ｒｅｔｒｉｅｖａｌ）ブラケットを有している。前記スライド部材をそのスタート位置に戻すバネ部材が故障すれば、これらのブラケットがバネの故障が発生した時のスライド部材の取戻しを保証し、それによってネジ止めされたスタンプ部材が引きはがされることを防止する。前記スライド部材は、傾斜ストリップと保持ネジとによってスライドガイド部材に固定され、当該スライドガイド部材に対して前記傾斜ストリップに沿って移動させることができる。
【００１１】
米国特許第５１０１７０５号明細書（特許文献５）は、スライド部材が傾斜ストリップから吊り下げられるか、もしくは、それらによってスライドガイド部材に固定される別のウェッジ駆動装置を開示している。この場合、スライド部材とスライドガイド部材との間の必要なクリアランスを確保するために、互いに対して載置されたプレートと、固定のために必要な部材とを正確に固定しなければならない。このウェッジ駆動装置、そして、スライドガイド部材とスライド部材とが傾斜ストリップとネジとによって互いに接続される他の公知のウェッジ駆動装置において、引張力の全部がネジに導入され、その結果、特に、これらのネジと、それらを取り囲む材料との膨張が発生した時に、互いに対して移動するスライドガイド部材とスライド部材とのクリアランスに対する悪影響が生じるという欠点がある。その結果、この領域における工具の歪みによりこの領域の摩耗が特に増加することから寿命が短くなる。又、前記スライド部材は、この領域においては前記傾斜ストリップによって規制されているので加熱された時に横方向には膨張することができないという欠点があることもわかった。これによっても工具の摩耗の増加が起こる可能性がある。
【００１２】
欧州特許出願公開第１１９７３１９号明細書（特許文献６）は、スライド部材とスライドガイド部材とがガイドブラケットによって互いに保持されたウェッジ駆動装置を開示している。この構成により、必要なクリアランスを確保するために、これら二つの部材を正確に固定接続するために追加の傾斜ストリップやその他の部材は不要とされる。更に、製造誤差のみならず、それに伴う材料の膨張もガイドブラケットによる接続によって吸収することができるので、ウェッジ駆動装置と工具とが加熱された時に前記クリアランスに対する悪影響は無い。従って、ウェッジ駆動装置の寿命が悪影響を受けたり短くなることはない。摩擦を無くしたにも拘らず、高度な作動精度を達成することが可能である。この場合、前記ガイドブラケットが前記スライドガイド部材に形状フィット状に係合して、この形状フィット係合によって、ガイドブラケットがスライド部材をスライドガイド部材から吊り下げる。この結果、一方においては摩耗されやすく、他方において加熱された時に前記クリアランスに対して上述した悪影響を与える可能性のあるネジによる前記スライドガイド部材に対する固定を提供する必要がない。
【００１３】
独国特許出願公開第１０２００７０４５７０３号明細書（特許文献７）は、スライド部材とスライド凹部との間に蟻継状又は角柱状ガイド装置が設けられたウェッジ駆動装置を開示している。この文献の説明に依れば、プレス工具の、作業ストロークと呼ばれる、ほぼ垂直な近接ストロークによって、その後方位置にあるスライド部材がリジッドな突出ドライバ部材上に静止され、この部材によって支持され、作業方向に向けられたその傾斜位置によって駆動される。前記移動可能なスライド部材は、これによって、プレス工具によってのみ駆動され、スタンプ又は成形作業を実行することができるためには、前方又は外側に向けて操向される。プレス工具がその下方吸引ポイントを超えて移動しその二つの部分が互いに離間移動する後方ストロークにおいては、通常、前記可動スライド部材は対応して設計されたバネ弾性部材によって、そのスタート位置に戻りスライドされ、その後、処理を再開することができる。前記スライド部材の戻りのために必要な引き込み力は、実際の作業力とスライド部材の重量との２％〜１０％であると記載されている。この場合、プレス力の大きさにとって決定的要因は、スライド表面と呼ばれる圧力を伝達する表面の寸法、スライド部材凹部のリニアガイドの各傾き、ドライバ部材の傾き、前記面積と傾きとの相互作用、前記スライド部材自身の設計、でなければならない。伝達される圧力は、通常、＜１００ｋＮから最大数万である。
【００１４】
尚、前記スライド部材凹部のリニアガイドは、遊び無く可動スライド部材をガイドしなければならず、又、それを行うに当たって、強力なプレス力に抗し長寿命を達成しなければならない。０．０２ｍｍの誤差が、前記可動スライド部材の作動精度の誤差として設定される。
【００１５】
従来技術においても既に説明したように、そのようなウェッジ駆動装置又はスライドは、スライドアセンブリから構成され、又、当該アセンブリは、ドライバ、スライド部、そしてスライドベッドから構成されている。この点に関して、前記スライド部は、保持部材によって前記スライドベッドに固定され、スライド部は、ドライバとスライドベッドとの間でスライド可能に吊り下げられている。スライドベッドとドライバとの対応の傾斜表面は互いに反対方向に傾斜し、それにより、スライドベッドとドライバとが互いに引き寄せられた時、スライド部は前記二つの部分の間から「押し出される」。上述したように、この場合、非常に強力な力が発生するので、それに対応するガイドを提供しなければならない。
【００１６】
この場合の様々な公知のタイプのガイドは、カバーストリップガイド、ガイドブラケットガイド、ガイドコラムガイド、そして蟻継ガイドである（独国特許出願公開第１０２００７０４５７０３号明細書）。
【００１７】
これらのガイドの圧倒的多数は、スライドの外側表面に取り付けられる。この場合、力の伝達とガイドは最適ではないことが銘記される。他方、スライド面による主スライドガイドは、内側に向けてオフセットされなければならず、このことは、可能な力の伝達が少ないことを意味する。更に、このことによって、多くの場合、より大きな空間が必要となり、操作力（加工力と引き抜き力）の導入によって変形が観察されうる。
【００１８】
前記公知の蟻継式ガイドの場合は、スライドを完全に取り外すことを必要とする前記遊びの再加工を頻繁に行わなければならないという欠点がある。更に、その他すべてのスライダにおいて、取り付けと取り外しは非常に複雑で手間のかかる作業である。他方、これは、スライダ本体の後部に向けてのみ可能であって、特に、大型のスライダの場合、そのスライド体の大きな重量と極めて限られた設置空間とによって、大きな質量をクレーンを利用して狭いガイドで移動させなければならない。ブラケットスライドでは、設置と取り外しのために側方への空間を設けなければならず、それによって、ある種の用途においては、スライドの最適な位置が達成されるという確実な保証はない。
【００１９】
独国特許出願公開第１０２０１２０１４５４６号明細書（特許文献８）は、スライド部材凹部と、可動スライドキャリッジと、ドライバとを必要とするウェッジ駆動装置を開示し、これは、スライドキャリッジとドライバ部材との間にスライド表面を備えて構成され、少なくとも一つのスライド表面において、前記少なくとも一つのスライドキャリッジと少なくとも１つのスライド凹部との間の遊びの無い状態を達成するために、加工工具の設置中のプレス力を調節可能にシミュレートするテンション駆動装置を設けることが必要である。この文献に依れば、即ち、一方においてスライドキャリッジとスライド部材凹部とを備え、他方においてドライバを備えるスライドの上部が工具に取り付けられる時に高い誤差精度を達成しなければならず、これは加工工具がスライドに取り付けられる時、即ち、穴あけパンチ等の加工工具がスライドに固定される時に、スライドがシミュレートされたプレス力によって互いに保持されることによって達成されるとされる。
【先行技術文献】
【特許文献】
【００２０】
【特許文献１】西独国特許出願公告第２６４０３１８号明細書
【特許文献２】西独国特許出願公開第２４３９２１７号明細書
【特許文献３】西独国特許出願公告第２３２９３２４号明細書
【特許文献４】独国特許第１９７５３５４９号明細書
【特許文献５】米国特許第５１０１７０５号明細書
【特許文献６】欧州特許出願公開第１１９７３１９号明細書
【特許文献７】独国特許出願公開第１０２００７０４５７０３号明細書
【特許文献８】独国特許出願公開第１０２０１２０１４５４６号明細書
【発明の概要】
【発明が解決しようとする課題】
【００２１】
本発明の課題は、設置効率を改善しながらも、その全体のサイズと力伝達とにおいて最適な特性を備えるスライドガイドを提供することにある。
【課題を解決するための手段】
【００２２】
この課題は、請求項１の特徴構成を有する工具スライドによって達成される。
【００２３】
好適な変形構成は従属請求項に開示される。
【００２４】
本発明に依れば、前記スライド体とスライドベッドとの間のスライドガイドは、角柱ガイド又はフラットガイドとして構成され、更に、角柱又は蟻継形状断面を備えたガイドスタッドが、対応の断面を備える溝と、前記スタッドを支持するスライドの各他の対応の上方部分の一部であるスライド部材によって支持されている。前記角柱又は蟻継形状の実施例に加えて、本発明によれば、前記ガイド遊びは、スライド部材とそれを支持する前記スライドベッドとの間の少なくとも二つの傾斜表面間の相互作用によって調節可能である。更に、このために、別体のスライド部材を提供することができる。
【００２５】
詳しくは、このガイドは、前記ドライバと、前記スライド部と、前記スライドベッドとから構成され、前記スライド部が前記スライドベッドにスライド可能に支持されている、公知のスライドアセンブリに使用される。前記ドライバと前記スライド部との間にはスライド対が配置されている。
【００２６】
好適な変形例において、前記ガイド遊びの前記調節は、別体のコンポーネントによって、少なくとも固定される。若しくは、当該コンポーネントによって行われる。このコンポーネントは、前記スライド部材および／又は前記単数又は複数の傾斜表面を有するスライド部材上において調節方向に物理的に作用することが可能である。この場合、前記コンポーネントは、一方においては、前記スライド体および／又はスライドベッドの静止部分と、他方においては、前記調節可能スライド表面との間において、実行される調節のための所定の間隔を作り出すことができる。
【００２７】
更に本発明に依れば、前記コンポーネント自身を、調節されるべき前記スライド表面の対応の傾斜表面と、前記スライド表面を移動させるように協働する傾斜表面を備えるウェッジ状又はウェッジ形状として構成することができる。この場合、前記コンポーネントは、当該コンポーネントを簡単に外側から移動させ、それによって前記スライド表面を移動させることのできるアクチュエータ手段を備える。具体的には、このアクチュエータ手段は、前記スライド表面に対して前記コンポーネントに作用して当該コンポーネントを移動させることが可能な調節ネジとして実施される。
【００２８】
特に、角柱形状又は蟻継形状実施例に依れば、前記スライドベッドは、たとえば、蟻継形状舌部材を収納するための蟻継形状凹部を有し、スライド部材が前記蟻継形状舌部材の外側と前記スライドベッド上の少なくとも１つのスライド表面とに設けられる。
【００２９】
前記スライド部材は、傾斜表面を備えるウェッジ状として実施される。この場合のこの傾斜表面は、Ｌ形状スライド部材の溝側の短い表面に設けられ、その場合、前記溝は、対応のウェッジ状表面、具体的には、対応の傾斜表面を備える。
【００３０】
この場合、前記スライド部材の両方、又は、一方のスライド部材のみが、前記傾斜表面を備えたものとすることができる。前記スライド部材を前記傾斜表面の方向（通常は、前記長手スライドの長手方向）に沿ってスライドさせることによって、前記スライドベッドと前記スライド体との間の前記ガイド遊びが変えられる。
【００３１】
この場合の前記Ｌ形状スライド部材も、互いに対してＬ形状に配置される個々のスライド部材から構成することが可能であるが、しかし、これによって、設置の手間が増大する。
【００３２】
特に、前記スライド部材の両方が傾斜表面を有する場合、前記スライド体に対する前記スライドベッドの調節は、前記スライドストリップ、又はスライド部材を互いに反対方向にスライドさせることによっても達成できる。
【００３３】
本発明は、工具スライド、特に、少なくとも１つのスライドベッドと一つのスライド部とを備える、ウェッジ駆動装置に関し、前記スライド部は、角柱ガイドによって前記スライドベッドにスライド可能に支持され、溝と当該溝内に突出するスタッドとが設けられ、前記スタッドと前記溝との間には、少なくとも１つのスライド部材が設けられ、前記スライド部から取り外し可能なドライバが設けられ、接触状態における前記スライド部と前記ドライバとの間には、同様に、前記スライド体の傾斜部材と前記ドライバの対応の傾斜表面とから成る角柱ガイドが設けられ、前記スライドベッドと前記スライド体との間には、前記スライドベッドのスライド部材と前記スライド体の対応のスライド部材とが角柱ガイドにおいてはｘ軸に対して傾斜し、若しくは、フラットガイドにおいてはそれに対して垂直であるように、角柱ガイド又はフラットガイドが構成されているものにおいて、前記溝に向けて、前記スライド部材は、それによって前記溝壁の対応の表面上に載置するウェッジ状傾斜表面を有し、前記対応の溝壁は、前記スライド部材の長手方向での軸心方向移動によって、前記スタッドと前記スライド部材との間の空隙が減少又は増大するように、対応のウェッジ状傾斜表面を有する。
【００３４】
本発明は、更に、工具スライドに関し、ここで、前記スライド部材は、溝中心に向けられて、それら自身の間の中間空隙を規制する表面を有するＬ形状スライドストリップ又はスライドプレートであって、これらは前記スライド体に向けて、スライド表面を有し、前記ガイド部又はガイドスタッドは、前記縦軸に対して対称に前記溝内へと上方に延出し、前記ガイドスタッドは、それによって、前記Ｌ形状スライドストリップの表面１１に対して載置される長手表面を有する。
【００３５】
本発明は、更に、工具スライドに関し、ここで、前記ガイド体は、長手レール状又はスタッド状コンポーネントとして構成され、前記スタッドは、前記溝内に突出する領域内へと角柱又は蟻継状に広がるように構成され、前記溝に支持されるガイド角柱又は蟻継ガイドが設けられ、前記スタッドは、スライドストリップの対応の表面に対向する角柱状表面で前記溝に支持されている。
【００３６】
本発明は、更に、工具スライドに関し、ここで、前記スライドベッドの壁と、前記スライド部材の壁との間に挿入されて前記スライド部材の所定の位置を維持するアダプタが設けられている。
【００３７】
本発明は、更に、工具スライドに関し、ここで、前記アダプタは、ネジによって、前記スライドベッド又はスライド部材上に配置されている。
【００３８】
本発明は、更に、工具スライドに関し、ここで、前記アダプタは、前記スライドベッドの傾斜表面又は前記スライド部材の傾斜表面に対応する少なくとも１つのウェッジ状傾斜表面を有し、前記スライド部材を移動させるウェッジドライブとして機能する。
【００３９】
本発明は、更に、工具スライドに関し、ここで、前記アダプタは、前記スライドベッドの傾斜表面と、前記スライド部材の傾斜表面との両方に対応するウェッジ状傾斜表面を有し、前記スライド部材を移動させるウェッジドライブとして機能する。
【００４０】
本発明は、更に、工具スライドに関し、ここで、前記ガイド遊びを調節するために、前記アダプタは、前記スライドストリップの軸心方向前方又は後方に位置する前記スライドベッドのエッジ又は表面の間に位置している。このエッジ又は表面は、前記スライドストリップの端部表面から離間している。
【００４１】
本発明は、更に、工具スライドに関し、ここで、前記アダプタは、その位置において固定されるべく、特に、そのために設けられるステップの近傍において、前記スライドベッドに向けられた前記エッジ又は表面上に覆いかぶさる固定部材を有し、前記アダプタを貫通して前記スライドベッドの材料内へとねじ込まれるネジによってそこに位置固定され、それによって、前記エッジと前記エッジとの間の軸心方向距離を固定する。
【００４２】
本発明の一実施例において、前記アダプタは、前記両エッジ間に位置し、前記両エッジ間の前記アダプタは、移動可能に構成され、前記覆いかぶさり領域と前記ステップとは互いに離間して、それにより、前記アダプタが、前記ネジのネジ込みによって前記両エッジ間の領域に押し込み可能であり、前記スライドストリップに向けられた前記アダプタの前記エッジ又は表面は、前記アダプタが幅広がりとして構成されるように傾斜表面を備える、および／又は、前記スライドストリップの前記エッジは、前記アダプタが前記両エッジ間の領域内へと押し込まれた時に、これによって前記スライドストリップが移動し、その結果、前記ガイド遊びが減少するように、対応の傾斜表面を備えている。
【００４３】
本発明の別実施例において、前記ウェッジ形状アダプタ又はウェッジを、前記スライドベッドと前記スライドストリップとの表面間のウェッジ形状空隙から出し入れするために、前記ウェッジは、エルボウを有し、前記エルボウは、当該エルボウの自由端が前記スライドベッド又は前記スライドストリップの材料の近傍に位置するように前記ウェッジ上に配置され、かつ、前記エルボウに回転可能に支持される、貫通するネジを有し、そのネジ頭部および／又は対応の装置によって、前記ネジは、当該ネジを前記スライドベッド又はスライドストリップにねじ込むことによって、前記ウェッジが前記空隙から出入りするように前記ウェッジに対して作用する。
【図面の簡単な説明】
【００４４】
【図１】本発明による工具スライドの破断図である。
【図２】図１のスライドの別実施例の一部破断図である。
【図３】スライドストリップ調節機構を備える本発明によるスライドのスライドベッドを示す図である。
【図４】図３の調節状態の背面図である。
【図５】図３のスライドベッドのストリップの別の調節状態を示す図である。
【図６】図５の調節状態の背面図である。
【図７】前記スライドストリップの調節機構の別実施例を備える本発明による工具スライドの別実施例を示す図である。
【図８】図７のスライドベッドの後方からの図であって、閉じ状態にある前記調節機構を示す図である。
【図９】図７の工具スライドの別の、一部破断図である。
【図１０】開放状態にある前記工具スライドの後部側の図９に対する図である。
【図１１】前記スライドストリップを位置固定するためのアダプタを備える、本発明による工具スライドを示す図である。
【図１２】図１１の工具スライドの、破断線Ａ−Ａに沿った詳細図である。
【図１３】調節のための傾斜表面を備える、図１１の工具スライドのアダプタの別実施例を示す図である。
【図１４】工具スライドの、ドライバが底部にあり、角柱ガイドが非固定状態にある上昇状態を、空隙の大きさとともに示す図である。
【図１５】図１１の工具スライドの互いに引き寄せられた状態を示す図であり、ここでは、製造によるオフセットが前記空隙の大きさとドライバ上におけるセンタリングとによって調節される。
【図１６】図１１の工具スライドの互いに引き寄せられた状態を示す図であり、ここでは、調節可能ストリップによるガイド遊びの調節後に空隙の大きさが固定されている。
【図１７】従来技術によるカバーストリップ式ガイド機構を備えるスライドを示す図である。
【図１８】従来技術によるコラム式ガイド機構を備えるスライドを示す図である。
【図１９】従来技術によるブラケット式ガイド機構を備えるスライドを示す図である。
【図２０】従来技術による蟻継式ガイド機構を備えるスライドを示す図である。
【発明を実施するための形態】
【００４５】
以下、図面に基づき、本発明を例示的に説明する。
【００４６】
本発明による工具スライド１は、スライドベッド２と、スライド体３と、ドライバ４とを有する。
【００４７】
図示のケースにおいて、前記スライド部３は、前記スライドベッド２から吊り下げられた状態に構成されており、前記スライド部３は、ドライバ４から持ち上げることができる。前記ドライバ４は、通常は、第１工具半部分（図示のケースにおいては下側部分）に配置され、これに対して、前記スライド部３は、前記スライドベッド２を介して対応の第２（上方）工具半部分（図示せず）に配置されている。
【００４８】
前記スライドベッド２は、略箱形状のものとして構成され、長手矩形溝５を有している。この長手矩形溝５の隣には、対応のネジ（図示せず）を収納するためにネジ穴６が設けられている。前記溝５とこの溝を形成する隣接表面７とは、Ｌ形状スライドストリップ８のための支持面を形成し、前記ストリップ８は、表面７上に載置され一つのＬ脚９によって前記溝内へと延出している。
【００４９】
前記Ｌ形状スライドストリップ８は、ネジ穴６への挿入のためにネジをねじ込むための取り付け穴１０を有している。前記Ｌ形状スライドストリップ８は、前記溝中心に向けられた分岐表面１１を有し、それによって、それらはそれら自身の間に角柱状中間空間を形成する。
【００５０】
前記溝５を側方に規定する前記壁１９に向けてかつ、それらに対して載置された状態で、前記Ｌ脚９はスライド表面２２を有する。これら表面２２は前記溝側壁１９の間の当該Ｌ脚９の厚みに対して、前記Ｌ形状スライドストリップ８の長手方向延出に沿って傾斜して延出し、それによって、前記Ｌ脚９はウェッジ状又はウェッジ形状として構成されている。この場合の前記傾斜表面又はウェッジ形状は、１度〜５度の角度で延出している。これに対応して、前記溝側壁１９は、前記長手延出に対して傾斜した表面を備え、これにより、前記長手方向において前記スライドストリップ８を移動させると、前記表面１１が前記溝中心に対して接近又は離間移動する。
【００５１】
前記スライド体３に向けて、前記Ｌ形状スライドストリップ８はスライド表面１２を有し、これらはフラットで図示のｘ軸１３に対して垂直に向けられたものとして構成されている。
【００５２】
前記表面１２に向けて、前記スライド体３は、対応のスライド表面又はスライドストリップ１４を有し、これらは、前記Ｌ形状スライドストリップ８に対するスライドパートナとして構成されている。
【００５３】
前記垂直軸心に対して対称に、特にガイド角柱又は蟻継として構成されたガイド部１５が、前記スライドストリップ１４の間で上方に前記溝５内へと延出している。この場合、前記ガイド角柱１５は、長手角柱状表面１６を有し、それにより、それは前記Ｌ形状スライドストリップ８の表面１１に対して支えられる。
【００５４】
前記ドライバに向けて、前記スライド体３は、他のスライドストリップ１７を有し、これらは、前記ｘ軸１３に対して傾斜するとともに、前記ドライバ４の角柱状ガイド表面１８に対応している。前記ストリップ１７は、前記スライド体に接続されているため、前記工具の上方部と下方部とが互いに引き寄せられた時に、前記表面１８と作動接続状態とされる、昇降可能なスライドストリップを構成する。
【００５５】
前記Ｌ形状スライドストリップ８のガイド表面と前記ストリップ１４の対応の表面１２とはｘ軸１３に対して垂直かつ、前記ガイド角柱１５に対しても垂直であるため、この実施例を所謂フラットガイドと称する。
【００５６】
前記スライド体と前記ドライバとの間の前記傾斜対応スライド部材１７、１８は、所謂角柱ガイドを形成する。
【００５７】
別の好適な実施例（図２、同じ部材には同じ参照番号が与えられている）において、同様に、本発明による工具スライド１は、スライドベッド２と、スライド体３と、ドライバ４とから構成されている。
【００５８】
図示のケースにおいて、前記スライド部３は、前記スライドベッド２から吊り下げられた状態に配置され、前記スライド部３は、ドライバ４から持ち上げることができる。前記スライドベッド３は、略箱形状であり、長手溝５を有する。前記溝底部から延出している溝側壁１９は、互いに合流するように延出して、その結果、蟻継溝を形成している。前記溝５を形成している表面７は、互いに合流している。これら表面７は、それらに載置されたＬ形状スライドストリップ８を有し、これは狭く短いＬ脚９で前記溝内へと延出している。前記Ｌ形状スライドストリップは、前記表面７に向けられた接触表面１１と、前記スライド体３に向けられたスライド表面１２とを有し、これはフラットで、かつ、縦軸心に対して傾斜状態に分岐するものとして構成されている。これらの表面１２は、前記スライド体３の対応のスライド表面１４上でスライドする。
【００５９】
前記スライド体３のスライド表面１４は、その結果、屋根状に傾斜して構成されている。前記ガイドスタッド１５又は前記スライド体の前記ガイドスタッド１５の前記蟻継形状部分は、その中間部分において、それが前記縦軸に対して対称に中心配置されるように配置され、前記角柱表面１６は、前記スライドストリップ８の前記短Ｌ形状脚９に対して当接するものとして構成されている。この例における前記表面１６および１４は、前記表面９、１２とほぼ同じ角度をその間に形成し、この図示の例ではこれらは互いに対してほぼ垂直である。
【００６０】
特に前記スライドベッドと前記スライド体との間の、前記工具スライドの正確なフィットとガイドを達成することが必要であるので、前記スライド体の前記スライド溝におけるガイドは、調節可能なものでなければならない。より具体的には、前記スライドストリップ８と角柱１５とが互いに対して調節可能なものでなければならない。
【００６１】
この目的のために、（図３〜６）、前記スライドストリップ８の前記取り付け穴１０は、これらストリップが前記取り付けネジ２０に沿って、従って、調節方向２１に沿って、移動可能となるように、楕円穴として構成されている。
【００６２】
前記スライドストリップ８の前記方向２１に沿った移動によって、スライドストリップ８又はＬ形状脚９の表面とガイド角柱１５の表面との間に存在することが可能な空隙は又は空間に関してはまだ何の変化も生じない。前記長手スパン又は前記方向２１に関して、従って、前記Ｌ形状スライドストリップのＬ脚９の接触表面２２は第１実施例８と同様に、ウェッジ状又はウェッジ形状である。これは、それらの厚さがそれらの長手スパンに渡って変化する、ということを意味する。前記傾斜表面は、たとえば、１−５度の傾きを有する。
【００６３】
前記Ｌ形状スライドストリップ８のＬ形状脚９上の前記傾斜接触表面２２は、前記溝５の対応の表面１９に向けられている。
【００６４】
前記傾斜接触表面２２、１９により、前記方向２１に沿ったスライドによって、前記Ｌ脚９の表面１１と前記ガイドスタッド１５又はガイド角柱１５の表面１６との間の距離が減少するか、若しくは無くなる。この場合、前記スライドストリップ８の両方が移動するか、若しくは、一方のスライドストリップ８のみが移動することが可能である。
【００６５】
但し、これによって同時に、両スライドストリップが前記横方向、即ち、前記方向２３において互いに近接又は離間移動するので、この場合は、前記楕円穴１０は、これらの穴が前記ネジ２０周りでの方向２３におけるフロート支持も可能にするように構成されなければならなかった。
【００６６】
前記スライドストリップ８を前記ガイド角柱１５に適合させる、従って、前記スライド体の前記スライドベッド中の正確な位置に適合させるために、たとえば、前記楕円穴１０における前記ネジ２０の停止位置から調節を行うことが可能である（図５）。
【００６７】
本発明に依れば、前記ガイド遊びの対応の調節を外側から位置固定可能とするようにアダプタ４０が提供される（図１０、１１）。当該アダプタ４０は、前記スライドストリップ８の軸心方向前方又は後方に位置するスライドベッド２のエッジ又は表面４１の間に位置し、このエッジ又は表面４１は、前記スライドストリップ８の端部表面４２から離間している。前記アダプタ４０をその位置に固定するために、当該アダプタは、特にそのために設けられたステップ４４の近傍において、前記スライドベッド２に向けられた前記エッジ又は表面４１に覆いかぶさる固定部材４３を有し、アダプタ４０を貫通して前記スライドベッド２の材料内にねじ込まれるネジ４５によってそこに位置固定されている。これにより、前記エッジ４１と前記エッジ４２との間の軸心方向距離を、前記楕円穴１０内での前記ネジ２０の位置が変わらず固定されたままで、固定することが可能である。前記ネジ２０と前記楕円穴１０との間の異なる距離を、調節位置に応じて固定するために、前記アダプタは、前記両エッジ４１、４２間の幅が異なるものとすることができる。
【００６８】
このことは、前記楕円穴１０内にある前記ネジ２０による前記スライドストリップ８の調節と固定の後、この調節を確実にするために適当なアダプタ４０が挿入されるということを意味する。
【００６９】
本発明の別の好適な実施例（図１２）において、前記アダプタは、同様に、両エッジ４１、４２間に位置してはいるが、ここでは、ネジ５５をネジ込むことによって、前記アダプタ４０を、外側から見て、両エッジ４１、４２間の領域内へと更に深く押し込むことが可能となるように前記覆いかぶさり領域４３とショルダ４４とが互いに離間している程度に、これら両エッジ４１、４２間を移動可能に配置されている。更に、前記スライドストリップに向けられた前記アダプタ４０のエッジ又は表面４６は、当該アダプタ４０が外側に向けて幅広がりとなるように、傾斜表面を備えている。前記スライドストリップ８の前記エッジ４２は、対応の傾斜表面を備え、それにより、前記アダプタ４０が両エッジ４１、４２間の前記領域内へと内側に押し込まれた時に、これによってスライドストリップ８が、矢印４７の方向に移動する。好ましくは、前記方向４７は、前記ガイド遊びが減少する方向でもある。これにより、前記ネジ４５をスライドベッド２にねじ込むことによって、アダプタ４０は、両エッジ４１、４２間の領域にねじ込まれ、従って、スライドストリップ８は、これに対応して、より遊びの少ない方向へと押される。この場合、比較的容易に行うことのできる前記アダプタの外側からのネジ込みによってガイド遊びを容易に移動又は調節することができる。
【００７０】
当然、前記スライドベッドに向けられたアダプタ４０のエッジ４８を、対応の傾斜表面を備えたものとして構成し、スライドベッド側のエッジ４１を第１実施例と同様に作用する対応の傾斜表面を備えたものとして構成することも可能である。
【００７１】
特に前記スライドストリップ８の傾斜配置により、前記ネジ４５は、外側から退避し、ダメージを防止するべくスライドベッド２の外側表面から退避しているにも拘らず、これらのネジは、特に、オフセットねじ回し又は工具等によって容易にアクセス可能である。
【００７２】
別の好適な実施例（図７〜１０）において、前記調節は異なった方法で行われる。この実施例において、前記溝５および／又は前記スライドベッド２の表面１９および／又は前記壁１９に向けられた表面２２は、傾斜表面を備えて構成される。これら両表面１９、２２が傾斜したものとして構成されると、これら表面は、同じ方向に向けられたものとして、即ち、これら両表面が互いから分岐又は互いに合流してそれら自身の間にウェッジ形状中間空間を形成するように構成される。
【００７３】
スライド表面１１と、スライド表面１６を有し両スライド面１１間に位置する角柱１５との間の距離を調節するために、この実施例において、対応のウェッジ形状アダプタが使用され、これは、その構成に応じて、前記壁２２に向けられた傾斜表面６４を有するか、又は、前記壁１９に向けられた傾斜表面６５を有するか、若しくは、前記傾斜壁１９、２２に向けられた二つの傾斜表面６４、６５を有する。このウェッジは、その結果、これらの壁１９、２２に当接し、前記スライドストリップ８と溝５との間に延出する。
【００７４】
このウェッジ６０が、移動方向６１に応じて、両表面１９、２２間の空隙から出入りすると、それにより、前記スライドストリップ８は、溝中心６２に向かう、又はそれから離間する方向に、それぞれ、前記方向２３に応じて、一体に移動される。
【００７５】
前記ウェッジ形状アダプタ又はウェッジ６０を前記空隙から出入り可能とするために、前記ウェッジ６０はエルボウ６３を有し、これは、当該エルボウの自由端が前記スライドの材料、この場合は、具体的には、前記スライドベッド２の材料の近傍に位置するようにウェッジ上に位置している。前記エルボウ領域６３は、それを貫通して延出して、エルボウ６３に回転可能に支持されるネジ６６を有する。そのネジ頭部および／又は対応の装置によって、このネジ６６は、当該ネジ６６を前記スライドベッド２にねじ込む（図８）ことによって、前記ウェッジ６０が前記表面１９、２２間の空隙に入り、そして当該ネジ６６をねじ出すことによって再びウェッジ５０がそこから出るように、前記エルボウ領域６３に対して作用する。
【００７６】
別の実施例において、前記ネジ６６は前記スライド、具体的には前記スライドベッド２にはねじ込まれず、前記スライドプレート８に直接ねじ込まれ、これによってそれがねじ込まれ、ねじ出された時に同じ結果を生み出す。
【００７７】
本発明において、外部から調節可能で移動可能なスライドストリップは単純でありながら、非常に窮屈な状況においてさえ、良好なアクセス性で、非常に信頼性が高く厳格な（ｒｕｇｇｅｄ）調節能力を達成し、調節のためにスライド全体を取り外す必要が無く、この目的のために提供される対応のネジを使用することによってアダプタを調節するのに十分である。
【００７８】
本発明において、一方においては前記調節可能スライドストリップとそれらのＬ形状実施例、そして他方においては前記角柱状ガイド角柱１５が、前記スライドベッド２における前記スライド体３の、非常にコンパクトでありながら非常に安定度の高いガイドを達成するとともに、更に、極めて厳密な許容誤差を簡単に設定することが可能となるという利点が生じる。
【符号の説明】
【００７９】
１      工具スライド
２      スライドベッド
３      スライド体
４      ドライバ
５      長手矩形溝
６      ネジ穴
７      規制表面
８      Ｌ形状スライドストリップ
９      Ｌ脚
１０    取り付け穴
１１    接触表面
１２    スライド表面
１３    ｘ軸
１４    スライドストリップ
１５    ガイド角柱
１６    長手角柱状表面
１７    スライドストリップ
１８    ドライバ上のスライド表面
１９    溝側壁
２０    ネジ
２１    調節方向
２２    接触表面
２３    方向
２４    中心線
２５    空隙
４０    アダプタ
４１    エッジ／表面
４２    端部表面／エッジ
４３    固定部
４４    ショルダ
４５    ネジ
４６    エッジ／表面
４７    矢印方向
４８    エッジ
５５    ネジ
６０    ウェッジ
６１    移動方向
６２    溝中心
６３    エルボウ
６４    傾斜ウェッジ表面
６５    傾斜ウェッジ表面
６６    ネジ
【図１】
2017507036.tif 000003
【図２】
2017507036.tif 000004
【図３】
2017507036.tif 000005
【図４】
2017507036.tif 000006
【図５】
2017507036.tif 000007
【図６】
2017507036.tif 000008
【図７】
2017507036.tif 000009
【図８】
2017507036.tif 000010
【図９】
2017507036.tif 000011
【図１０】
2017507036.tif 000012
【図１１】
2017507036.tif 000013
【図１２】
2017507036.tif 000014
【図１３】
2017507036.tif 000015
【図１４】
2017507036.tif 000016
【図１５】
2017507036.tif 000017
【図１６】
2017507036.tif 000018
【図１７】
2017507036.tif 000019
【図１８】
2017507036.tif 000020
【図１９】
2017507036.tif 000021
【図２０】
2017507036.tif 000022
【国際調査報告】
2017507036.tif 000023
2017507036.tif 000024
2017507036.tif 000025
2017507036.tif 000026
2017507036.tif 000027